(57)【要約】【課題】  浴室のドアにおいて最適な通気性が得られるフィルター構造体を提供する。【解決手段】  フィルター構造体１１は、浴室のドアに設けられた通気口を覆うように取り付けられ、通気口の全体を覆うことができるサイズに形成され、正面視矩形形状を有し、可撓性を有するシート状の不織布からなるフィルター２１と、フィルター２１の一方面２２において、通気口を跨いで取り付けることができる位置に形成された取付手段３１とから構成される。フィルター構造体１１のフィルター２１の通気量は、６００〜５０００ｃｃ／ｃｍ２／ｓｅｃで形成される。このように構成することによって、フィルター２１を介して、埃等を充分に防止すると共に、安定した通気量が確保できるため、最適な通気性が得られる。【選択図】  図１
2018034106.tif 000002
【特許請求の範囲】
【請求項１】
浴室のドアに設けられた通気口を覆うように取り付けられるフィルター構造体であって、
前記通気口の全体を覆うことができるサイズに形成され、可撓性を有するシート状のフィルターと、
前記フィルターの一方面において、前記通気口を跨いで取り付けることができる位置に形成された取付手段とを備え、
前記フィルターの通気量が６００〜５０００ｃｃ／ｃｍ２／ｓｅｃである、フィルター構造体。
【請求項２】
前記取付手段の取付強度が、４Ｎ以上である、請求項１記載のフィルター構造体。
【請求項３】
前記取付手段は、粘着剤で形成され、
前記取付手段の取付強度が、１５Ｎ以下である、請求項１又は請求項２記載のフィルター構造体。
【請求項４】
前記フィルターは、不織布で形成され、
前記取付手段が、面ファスナーで形成された、請求項１又は請求項２記載のフィルター構造体。
【発明の詳細な説明】
【技術分野】
【０００１】
この発明はフィルター構造体に関し、特に浴室のドアに設けられた通気口を覆うように取り付けられるフィルター構造体に関するものである。
【背景技術】
【０００２】
図１１は、特許文献１で開示された従来の浴室ドアの要部を示す図であって、（ａ）は正面図で、（ｂ）はその断面図である。
【０００３】
図を参照して、浴室ドア７１は、換気扇等の換気設備のある浴室に設けられ、通気口７２に装着され、羽根７５及びフィルター固定レール７７が形成されたガラリ枠７６からなるガラリ７３と、通気口７２の浴室内側を覆うようにフィルター固定レール７７に着脱可能なフィルター７４と、通気口７２の浴室外側を覆うようにフィルター固定レール７７に着脱可能なフィルター８２とから構成される。
【０００４】
浴室ドア７１における浴室内側のフィルター７４の目の粗さは、浴室外側のフィルター８２の目の粗さよりも細かく形成されている。これにより、浴室外部への水蒸気等の飛散を減少させることができ、カビの繁殖を抑えることができる。
【先行技術文献】
【特許文献】
【０００５】
【特許文献１】特開２００５−４２３８８号公報
【発明の概要】
【発明が解決しようとする課題】
【０００６】
上記のような従来の浴室ドア７１は、浴室外部への水蒸気等の飛散を減少させるために、フィルターの目の粗さが細かく形成されており、フィルターを介した充分な通気性が得られないものであった。又、浴室ドア７１は、２つのフィルター（フィルター７４及びフィルター８２）から構成されているため、更に通気性が損なわれていた。
【０００７】
この発明は、上記のような課題を解決するためになされたもので、浴室のドアにおいて最適な通気性が得られるフィルター構造体を提供することを目的とする。
【課題を解決するための手段】
【０００８】
上記の目的を達成するために、請求項１記載の発明は、浴室のドアに設けられた通気口を覆うように取り付けられるフィルター構造体であって、通気口の全体を覆うことができるサイズに形成され、可撓性を有するシート状のフィルターと、フィルターの一方面において、通気口を跨いで取り付けることができる位置に形成された取付手段とを備え、フィルターの通気量が６００〜５０００ｃｃ／ｃｍ２／ｓｅｃであるものである。
【０００９】
このように構成すると、フィルターを介して、埃等を充分に防止すると共に、安定した通気量が確保できる。
【００１０】
請求項２記載の発明は、請求項１記載の発明の構成において、取付手段の取付強度が、４Ｎ以上であるものである。
【００１１】
このように構成すると、ドアの開閉時にフィルター構造体が剥がれ落ちにくい。
【００１２】
請求項３記載の発明は、請求項１又は請求項２記載の発明の構成において、取付手段は、粘着剤で形成され、取付手段の取付強度が、１５Ｎ以下であるものである。
【００１３】
このように構成すると、フィルター構造体を取り外した際に、ドアに粘着剤が残りにくい。
【００１４】
請求項４記載の発明は、請求項１又は請求項２記載の発明の構成において、フィルターは、不織布で形成され、取付手段が、面ファスナーで形成されたものである。
【００１５】
このように構成すると、ドアに対して取り付け及び取り外しが容易になる。
【発明の効果】
【００１６】
以上説明したように、請求項１記載の発明は、フィルターを介して、埃等を充分に防止すると共に、安定した通気量が確保できるため、最適な通気性が得られる。
【００１７】
請求項２記載の発明は、請求項１記載の発明の効果に加えて、ドアの開閉時にフィルター構造体が剥がれ落ちにくいため、取付状態が安定する。
【００１８】
請求項３記載の発明は、請求項１又は請求項２記載の発明の効果に加えて、フィルター構造体を取り外した際に、ドアに粘着剤が残りにくいため、ドアに対する負担が軽減する。
【００１９】
請求項４記載の発明は、請求項１又は請求項２記載の発明の効果に加えて、ドアに対して取り付け及び取り外しが容易になるため、取付勝手が向上する。
【図面の簡単な説明】
【００２０】
【図１】この発明の第１の実施の形態によるフィルター構造体を示す概略正面図である。
【図２】図１で示したＩＩ−ＩＩラインから見た概略拡大断面図である。
【図３】図１で示したフィルター構造体を浴室のドアに取り付けた状態を示す概略正面図である。
【図４】図３で示したＩＶ−ＩＶラインから見た概略拡大断面図である。
【図５】この発明の第２の実施の形態によるフィルター構造体を示す概略正面図であって、図１に対応した図である。
【図６】図５で示したＶＩ−ＶＩラインから見た概略拡大断面図であって、図２に対応した図である。
【図７】この発明の第３の実施の形態によるフィルター構造体を示す概略正面図であって、図１に対応した図である。
【図８】図７で示したＶＩＩＩ−ＶＩＩＩラインから見た概略拡大断面図であって、図２に対応した図である。
【図９】図７で示したＩＸ−ＩＸラインから見た概略拡大断面図であって、図２に対応した図である。
【図１０】図７で示したフィルター構造体を浴室のドアに取り付けた状態を示す概略正面図であって、図３に対応した図である。
【図１１】特許文献１で開示された従来の浴室ドアの要部を示す図であって、（ａ）は正面図で、（ｂ）はその断面図である。
【発明を実施するための形態】
【００２１】
図１は、この発明の第１の実施の形態によるフィルター構造体を示す概略正面図であり、図２は、図１で示したＩＩ−ＩＩラインから見た概略拡大断面図であり、図３は、図１で示したフィルター構造体を浴室のドアに取り付けた状態を示す概略正面図であり、図４は、図３で示したＩＶ−ＩＶラインから見た概略拡大断面図である。
【００２２】
これらの図を参照して、フィルター構造体１１は、図示しない換気扇等の換気設備のある浴室１のドア２に設けられた通気口３ａ及び通気口３ｂを覆うように取り付けられ、通気口３ａ及び通気口３ｂの全体を覆うことができるサイズに形成され、正面視矩形形状を有し、可撓性を有するシート状の不織布からなるフィルター２１と、フィルター２１の一方面２２において、通気口３ａ及び通気口３ｂを跨いで取り付けることができる位置に形成された取付手段３１とから構成される。
【００２３】
フィルター構造体１１の取付手段３１は、ウレタン系の粘着剤３５で形成され、フィルター２１の一方面２２において、フィルター２１の上方部２４の長手方向に筋状に塗布された第１の粘着剤３６と、フィルター２１の下方部２５の長手方向に筋状に塗布された第２の粘着剤３７とを含んで構成される。フィルター２１の上方部２４に塗布された第１の粘着剤３６と、フィルター２１の下方部２５に塗布された第２の粘着剤３７との間に、通気口３ａ及び通気口３ｂが位置するように取り付けることができるように、取付手段３１である第１の粘着剤３６及び第２の粘着剤３７が形成されている。
【００２４】
第１の粘着剤３６は、フィルター２１の上方端縁２７から第１の所定間隔Ｌ１を有するフィルター２１の第１の非取付部５８には塗布されていない。第２の粘着剤３７は、フィルター２１の下方端縁２９から第２の所定間隔Ｌ２を有するフィルター２１の第２の非取付部６０には塗布されていない。このように構成した理由については、後述する。
【００２５】
フィルター構造体１１の取付手段３１は、フィルター２１の上方部２４に塗布された第１の粘着剤３６と、フィルター２１の下方部２５に塗布された第２の粘着剤３７との間の一部に、第１の粘着剤３６及び第２の粘着剤３７に接続され、粘着剤３５ａ及び粘着剤３５ｂを基本として形成された正面視Ｘ形状の粘着剤３５がフィルター２１の長手方向に連続したものを更に含んで構成される。尚、粘着剤３５ａは、第１の粘着剤３６及び第２の粘着剤３７に斜めの角度で接続されている。粘着剤３５ｂは、粘着剤３５ａの角度とは逆の斜めの角度（第１の粘着剤３６及び第２の粘着剤３７に直交する仮想線を対称軸として、粘着剤３５ａと粘着剤３５ｂとが左右対称となる）で、第１の粘着剤３６及び第２の粘着剤３７に接続している。
【００２６】
図１を参照して、フィルター構造体１１の取付手段３１は、図３で示した通気口３ａ及び通気口３ｂの周囲を囲って取り付けることができる位置に粘着剤３５ｃ、粘着剤３５ｄ、粘着剤３５ｅ及び粘着剤３５ｆが更に形成されている。具体的には、フィルター構造体１１の取付手段３１として、フィルター２１の右方には、第１の粘着剤３６に接続した粘着剤３５ｃと、粘着剤３５ｃ及び第２の粘着剤３７に接続した粘着剤３５ｄとが形成されている。フィルター２１の左方には、第１の粘着剤３６に接続した粘着剤３５ｅと、粘着剤３５ｅ及び第２の粘着剤３７に接続した粘着剤３５ｆとが形成されている。このように形成した理由については、後述する。
【００２７】
取付に際して、図３及び図４を参照して、フィルター構造体１１の取付手段３１が形成された一方面２２と、浴室１のドア２の洗面室６側の面とを合わせるようにして、フィルター構造体１１をドア２に取り付ける。その際、フィルター２１の上方部２４の第１の粘着剤３６と、下方部２５の第２の粘着剤３７との間に、通気口３ａ及び通気口３ｂが位置するように取り付ける。尚、通気口３ａ及び通気口３ｂの各々の洗面室６側の形状は、図３の破線で示したように正面視矩形形状に形成されている。このように通気口３ａの上方及び通気口３ｂの下方において、ドア２にフィルター構造体１１が取り付けられるため、フィルター構造体１１の浴室１のドア２への容易な取り付けが可能となる。
【００２８】
又、通気口３ａの上方及び通気口３ｂの下方において、フィルター２１の長手方向に、筋状の第１の粘着剤３６及び筋状の第２の粘着剤３７を介してドア２にフィルター構造体１１が取り付けられるので、フィルター構造体１１の取付状態が安定する。
【００２９】
フィルター構造体１１の取付手段３１は、フィルター２１の上方部２４に塗布された第１の粘着剤３６と、フィルター２１の下方部２５に塗布された第２の粘着剤３７との間の一部に、フィルター２１の長手方向に連続した正面視Ｘ形状の粘着剤３５を更に含んで構成されている。このように構成することによって、ドア２における取付手段３１を介する箇所が増加するため、フィルター構造体１１の取付状態がより一層安定する。
【００３０】
フィルター構造体１１の取付手段３１は、粘着剤３５ｃ、粘着剤３５ｄ、粘着剤３５ｅ及び粘着剤３５ｆが更に形成されている。このように形成することによって、通気口３ａ及び通気口３ｂの洗面室６側の外面は、フィルター２１と、取付手段である第１の粘着剤３６、第２の粘着剤３７、粘着剤３５ｃ、粘着剤３５ｄ、粘着剤３５ｅ及び粘着剤３５ｆとで覆われるため、浴室１の図示しない換気設備によって、図４で示した実線の矢印の方向に、洗面室６の空気が浴室１に流入する際に、空気に含まれる塵や埃等が通気口３ａ及び通気口３ｂに入りにくくなる。
【００３１】
図４を参照して、浴室１のドア２は、半透明のプレート４の下端位置にあり、通気口３ａの上方に浴室１側に近づく段部５が形成されている。ここで、フィルター構造体１１のフィルター２１の第１の非取付部５８をドア２の段部５に沿わせることができるため、段部５の上方に埃等が積りにくくなる。フィルター構造体１１の第１の非取付部５８の上方に積もった埃等は、フィルター構造体１１を交換することで除去することができる。尚、第１の非取付部５８の第１の所定間隔Ｌ１は、段部５の形状によって設定される。
【００３２】
フィルター構造体１１には、第１の非取付部５８と同様に、第２の非取付部６０が形成されており、フィルター構造体１１の上下を逆さまにしてドア２に取り付けたときにも、フィルター２１の第２の非取付部６０をドア２の段部５に沿わせることができる。よって、フィルター構造体１１の使用勝手が向上する。尚、第２の非取付部６０の第２の所定間隔Ｌ２は、段部５の形状によって設定される。
【００３３】
フィルター構造体１１のフィルター２１の通気量は、６００〜５０００ｃｃ／ｃｍ２／ｓｅｃに形成されている。このように形成することによって、フィルター２１を介して、埃等を充分に防止すると共に、安定した通気量が確保できるため、最適な通気性が得られる。
【００３４】
フィルター構造体１１の取付手段３１の取付強度は、４Ｎ以上に形成されている。このように形成することによって、ドア２の開閉時にフィルター構造体１１が剥がれ落ちにくいため、フィルター構造体１１のドア２への取付状態が安定する。
【００３５】
又、フィルター構造体１１の取付手段３１の取付強度は、１５Ｎ以下に形成されている。このように形成することによって、フィルター構造体１１を取り外した際に、ドア２に粘着剤３５が残りにくいため、ドア２に対する負担が軽減する。
【００３６】
図５は、この発明の第２の実施の形態によるフィルター構造体を示す概略正面図であって、図１に対応した図であり、図６は、図５で示したＶＩ−ＶＩラインから見た概略拡大断面図であって、図２に対応した図である。
【００３７】
尚、この第２の実施の形態によるフィルター構造体１２は、図１で示した第１の実施の形態によるフィルター構造体１１と基本的な構成は同一である。ここでは、その相違点を中心に説明する。
【００３８】
これらの図を参照して、フィルター構造体１２は、図１で示したフィルター構造体１１においてＸ形状の基本となる粘着剤３５ｂに対応する部分を取り除いて、粘着剤３５ａのみを基本としてフィルター２１の長手方向に連続して形成したものである。粘着剤３５ａは、第１の粘着剤３６及び第２の粘着剤３７に斜めの角度で接続されている。このように形成することによって、フィルター構造体１２を形成する際に、粘着剤３５ｂに対応する部分が不要となるため、製造コスト的に有利となる。尚、フィルター構造体１２は、フィルター構造体１１の粘着剤３５ｂに対応する部分を残して、粘着剤３５ａに対応する部分を取り除いて形成しても良い。
【００３９】
図７は、この発明の第３の実施の形態によるフィルター構造体を示す概略正面図であって、図１に対応した図であり、図８は、図７で示したＶＩＩＩ−ＶＩＩＩラインから見た概略拡大断面図であって、図２に対応した図であり、図９は、図７で示したＩＸ−ＩＸラインから見た概略拡大断面図であって、図２に対応した図であり、図１０は、図７で示したフィルター構造体を浴室のドアに取り付けた状態を示す概略正面図であって、図３に対応した図である。
【００４０】
尚、この第３の実施の形態によるフィルター構造体１３は、図１で示した第１の実施の形態によるフィルター構造体１１と基本的な構成は同一である。ここでは、その相違点を中心に説明する。
【００４１】
これらの図を参照して、フィルター構造体１３は、図１で示したフィルター構造体１１において粘着剤３５ａ及び粘着剤３５ｂを基本とするＸ形状の粘着剤３５に対応する部分の形状を、第１の粘着剤３６及び第２の粘着剤３７に直交する筋状の粘着剤３５ｇ及び粘着剤３５ｈに置き換えたものである。
【００４２】
使用に際して、図１０を参照して、通気口３ａ及び通気口３ｂの外面は、フィルター２１と、取付手段である第１の粘着剤３６、第２の粘着剤３７、粘着剤３５ｇ及び粘着剤３５ｈとで覆われるため、空気に含まれる塵や埃等が通気口３ａ及び通気口３ｂに入りにくくなる。尚、フィルター構造体１３の粘着剤３５ｇ及び粘着剤３５ｈのように、通気口３ａ及び通気口３ｂの周囲を囲うように取り付けられるものであれば、その他の形状であっても同様の効果を奏する。
【００４３】
尚、上記の各実施の形態では、フィルターは、特定形状に形成されていたが、通気口の全体を覆うことができるサイズであれば、それ以外の形状から形成されても良い。
【００４４】
又、上記の各実施の形態では、フィルターは、特定の素材から形成されていたが、可撓性を有するシート状のものであれば、それ以外の素材から形成されても良い。
【００４５】
更に、上記の各実施の形態では、通気口は、特定形状に形成されていたが、それ以外の形状から形成されても良い。
【００４６】
更に、上記の各実施の形態では、通気口は、ドアに２つ形成されていたが、１つ又は、３つ以上形成されても良い。
【００４７】
更に、上記の各実施の形態では、取付手段は、特定の形状に形成されていたが、フィルターの一方面において、通気口を跨いで取り付けることができる位置に形成されたものであれば、それ以外の形状から形成されても良い。
【００４８】
更に、上記の各実施の形態では、取付手段は、特定の粘着剤で形成されていたが、例えば面ファスナーやテープ、接着剤等のように他のもので形成されても良い。フィルターが不織布で形成され、取付手段が面ファスナーで形成された場合には、ドアに対して取り付け及び取り外しが容易になるため、取付勝手が向上する。このとき、取付手段の取付強度は４Ｎ以上で、２１Ｎ以下が好ましい。
【００４９】
更に、上記の各実施の形態では、取付手段の取付強度は、４Ｎ以上であったが、４Ｎ未満であっても良い。
【００５０】
更に、上記の各実施の形態では、取付手段の取付強度は、１５Ｎ以下であったが、１５Ｎよりも大きくても良い。
【実施例】
【００５１】
図１で示した第１の実施の形態によるフィルター構造体１１の通気量に関する試験Ｉと、取付強度に関する試験ＩＩとを行った。
１．試験Ｉ及び試験ＩＩの試験条件
Ａ．試験Ｉの試験条件
目付（ｇ／ｍ２）と厚み（ｍｍ）とを変えて、図１で示したフィルター構造体１１のフィルター２１の実施例１〜実施例１１及び比較例１〜比較例３に対して、ＪＩＳ  Ｌ  １０９６  Ａ法（フラジール形法）を用いて次のように通気量を測定した。即ち、フィルター２１の約２００ｍｍ×２００ｍｍの試験片を５枚調整してフラジール形試験機に取り付けた。傾斜形気圧計が１２５Ｐａの圧力になるように吸い込みファン及び空気孔を調整し、そのときの垂直形気圧計の示す圧力を測定した。そして、測定した圧力と使用した空気孔の種類から、試験機に付属している換算表によって試験片の通過する空気量（ｃｃ／ｃｍ２／ｓｅｃ）を求めた。
Ｂ．試験ＩＩの試験条件
縦の長さＬが１２ｃｍで、横の長さＷが７０ｃｍである図１で示したフィルター構造体１１を、図３で示したドア２に貼り付けて、フィルター構造体１１の縦横の中心部分を引張って剥がすような状態となるようにしてプッシュプルゲージにて引張り、引張強度を測定した。尚、ここでは、引張強度とは、プッシュプルゲージによる測定時の最大の引張強度を意味し、測定した引張強度（Ｎ）を、フィルター構造体１１とドア２との界面の取付強度（Ｎ）としている。
２．試験Ｉ及び試験ＩＩの試験結果及び評価
試験Ｉ及び試験ＩＩの結果及び評価をまとめて、次の表１に示す。
【００５２】
【表１】
2018034106.tif 000003
ここで、試験Ｉ及び試験ＩＩ以外の試験条件と評価を説明する。
（通気性）
フィルター構造体１１の通気性が悪いと換気扇作動時にドア２を開けると換気扇により空気が吸い出されることにより浴室内が負圧になる傾向にあり、その結果、ドア２を開ける時にドア２に負圧により浴室内側へ引張られる力がかかるため通常よりドア２を開けるのに力を要する。従って、本試験では、ドア２にフィルター構造体１１を取り付けた後に換気扇を作動させた際のドア２を開けた時の開け易さにより判断した。具体的には、ドア２を開ける時にそれほど強い力が必要なくドア２を開けることができた場合には評価○とし、ドア２を開ける時に強い力が必要であった場合には評価×とした。
（粘着残り）
恒温恒湿器内に、ドア２の通気口３ａ及び通気口３ｂを覆うようにフィルター構造体１１を取り付けた状態で、温度４０℃・湿度７０％条件下で１ヶ月間保持した後にフィルター構造体１１を取り外した。フィルター構造体１１を取り外した後、粘着剤がドア２に残らなかった場合は評価○、粘着剤が一部でも残った場合は評価×とした。
（ドア開閉時の剥がれ）
ドア２の通気口３ａ及び通気口３ｂを覆うようにフィルター構造体１１を取り付けた状態でドア２の開閉を行った。尚、換気扇は停止した状態で行った。ドア２の開閉後にドア２からフィルター構造体が剥がれなかった場合は評価○、ドア２から一部でもフィルター構造体１１が剥がれた場合は評価×とした。
【００５３】
この表１を参照して、フィルター２１の通気量が６１７ｃｃ／ｃｍ２／ｓｅｃ以上であるときには、通気性が充分得られていた。しかし、５６２ｃｃ／ｃｍ２／ｓｅｃでは通気性が悪いことが分かった。以上のことから、少なくとも６００ｃｃ／ｃｍ２／ｓｅｃ以上であれば、浴室１におけるフィルター２１としては、通気性が得られるものであった。
【００５４】
従って、フィルター２１の通気量が６００〜５０００ｃｃ／ｃｍ２／ｓｅｃの範囲にあるときに、フィルター２１を介して、埃等が充分に防止できると共に、安定した通気量が確保できることが分かった。よって、通気性の観点からは、実施例１〜実施例１１が好ましいものであった。
【００５５】
フィルター構造体１１の取付強度が、１５Ｎよりも大きいと、フィルター構造体２１をドア２から取り外したときに、粘着剤がドア２に残ってしまった。従って、フィルター構造体１１の取付強度は、１５Ｎ以下であることが好ましく、この場合には、フィルター構造体１１を取り外した際に、ドア２に粘着剤が残りにくいので、残った粘着剤をドア２から除去する等の負担が軽減する。
【００５６】
一方、フィルター構造体１１の取付強度が、４Ｎ未満であると、ドア２を開閉する際に、フィルター構造体１１がドア２から剥がれ落ちてしまった。従って、フィルター構造体１１の取付強度は、４Ｎ以上であることが好ましく、この場合には、ドアの開閉時にフィルター構造体１１が剥がれ落ちにくいので、取付状態が安定する。よって、通気性、粘着残り及びドア開閉時の剥がれの観点からは、実施例１〜実施例９がより好ましいものであった。
【００５７】
尚、図１で示したフィルター構造体１１の縦の長さＬが１３ｃｍで、横の長さＷが７２ｃｍの場合において、フィルター２１の正面視面積（９３６ｃｍ２）に対する取付手段３１である粘着剤３５の正面視面積の割合Ｐ１は、約４５％である。又、このフィルター構造体１１において、第１の非取付部５８及び第２の非取付部６０を含まないフィルター２１の正面視面積（８６４ｃｍ２）に対する取付手段３１である粘着剤３５の正面視面積の割合Ｐ２は、約４０％である。更に、このフィルター構造体１１において、第１の非取付部５８と、第２の非取付部６０と、第１の粘着剤３６に対応する部分と、第２の粘着剤３７に対応する部分とを含まないフィルター２１の正面視面積（６４８ｃｍ２）に対する取付手段３１である粘着剤３５（第１の粘着剤３６及び第２の粘着剤３７を含まない）の正面視面積の割合Ｐ３は、約３２％である。この割合Ｐ３は、３７％以下であることが好ましい。尚、図５で示したフィルター構造体１２及び図７で示したフィルター構造体１３においても、この割合Ｐ３の範囲で設定することが好ましい。
【符号の説明】
【００５８】
１…浴室
２…ドア
３…通気口
１１〜１３…フィルター構造体
２１…フィルター
２２…一方面
３１…取付手段
３５…粘着剤
尚、各図中同一符号は同一又は相当部分を示す。
【図１】
2018034106.tif 000004
【図２】
2018034106.tif 000005
【図３】
2018034106.tif 000006
【図４】
2018034106.tif 000007
【図５】
2018034106.tif 000008
【図６】
2018034106.tif 000009
【図７】
2018034106.tif 000010
【図８】
2018034106.tif 000011
【図９】
2018034106.tif 000012
【図１０】
2018034106.tif 000013
【図１１】
2018034106.tif 000014